(57)【特許請求の範囲】
【請求項１】
前面扉と、左右一対の側板と、背板切欠き部を有する背板と、前記背板切欠き部に連続する底板切欠き部を有する底板と、前記背板切欠き部の側縁部および前記底板切欠き部の側縁部に当接するカバー側壁と前記底板切欠き部の前縁部に当接するカバー前壁を備えて前記背板切欠き部と前記底板切欠き部を前記前面扉側から掩蔽する配管カバーとを有する引出箱であり、
前記カバー側壁の前記切欠き部側と前記カバー前壁の前記切欠き部側に、それぞれ前記切欠き部の木口に被着する脚部を形成し、これら脚部の基端側に前記切欠き部端縁より外側に拡張する受け部を設け、
前記カバー側壁において前記背板側に設けられた前記脚部の背部より、前記背板の背面側に延出されて前記カバー側壁の背面側に設けられた受け部とともに前記背板を挟み込む鍔背板を形成し、前記鍔背板にビス止め用の下孔を１以上形成したことを特徴とする引出箱。
【請求項２】
前記カバー側壁の前記背板切欠き部側に前記背板切欠き部の木口に被着する背面側脚部を形成し、前記カバー側壁の前記底板切欠き部側に前記底板切欠き部の木口に被着する側面側脚部を形成し、前記カバー前壁の前記底板切欠き部前縁側に前記底板切欠き部前縁側の木口に被着する前面側脚部を形成するとともに、
前記背面側脚部の基端側に前記背板切欠き部端縁部より外側に拡張する背面側受け部を設け、前記側面側脚部の基端側に前記底板切欠き部側端縁より外側に拡張する側面側受け部を設け、前記前面側脚部の基端側に前記底板切欠き部前縁より前方に拡張する前面側受け部を設けたことを特徴とする請求項１に記載の引出箱。
【請求項３】
前記カバー前壁の底部側に設けられた前記脚部の下端より、前記底板の裏面側に延出されて前記カバー前壁の底部側に設けられた受け部とともに前記底板を挟み込む鍔底板を形成し、前記鍔底板にビス止め用の下孔を１以上形成したことを特徴とする請求項１または請求項２に記載の引出箱。
【請求項４】
前記カバー側壁において前記背板に接する部分の上端部に前記背板の上面に被さる鍔上片を形成したことを特徴とする請求項１乃至請求項３のいずれかに記載の引出箱。
【請求項５】
前記カバー前壁の上端より、前記背板側に延在する補強部を形成したことを特徴とする請求項１乃至請求項４のいずれかに記載の引出箱。
【請求項６】
請求項１乃至請求項５のいずれか一項に記載の引出箱を備えたことを特徴とするキャビネット。
【発明の詳細な説明】
【技術分野】
【０００１】
本発明は、配管との当たりを回避するための切欠き部を設け、該切欠き部を覆うカバーを設けた引出箱および引出箱を備えたキャビネットに関する。
【背景技術】
【０００２】
キッチンや洗面化粧台のキャビネットを設置する際、キャビネットの排水配管端末と建屋側排水管端末を接続する場合に、新築の建屋では適切な位置で接続できる様予め設計されており、キャビネット等への追加加工が不要となっている。
【０００３】
しかし、リフォーム等でキャビネットの入れ替えを行う場合には、既存の建屋側排水端末と新たなキャビネットの排水配管端末との位置にずれが起こる場合が多い。特に既存の建屋側排水は、シンク排水口の垂下位置であるキャビネット奥行方向の略中央部に配置させている場合が多く見受けられる。
また、最近のキャビネットは収納量の拡張及び使い勝手の向上を図るために、前後にスライド可能な引出箱を前面に収納する構成のキャビネットでは、引出箱との当たりを防止する為、排水配管をキャビネット後方に配置するのが一般的であり、このようなキャビネットを所望する場合には、既存の建屋側排水配管がキャビネットの引出箱と干渉する場合があった。
【０００４】
従来、上述のような場合には、排水配管が干渉する部分の引出箱の一部を切欠いて干渉を防止すると共に、切欠き部に別体のカバー部材を設置し、再び引出しとして使用できるようにして、収納量及び使い勝手の低下を抑制する必要があった。
そこで、従来技術において、引出しの背面壁と底板に凹部を設け、この凹部開口に凹部前壁と左右一対の凹部側壁を、底板上面で且つ平面視で底板凹部開口の端縁部が見えない状態で取り付ける施工方法が、特許文献１に開示されている。
【先行技術文献】
【特許文献】
【０００５】
【特許文献１】特開２０１４−１６１４０７号公報
【発明の概要】
【発明が解決しようとする課題】
【０００６】
特許文献１に記載の従来技術の凹部前壁と凹部側壁を底板凹部開口の端縁部が見えない状態で取り付ける方法では、お互いの部材の加工寸法や取付位置が施行技術等により左右されるため、外観にばらつきが生じる等の問題点があった。また、カバー部材を構成する部材が、凹部前壁、一対の凹部側壁、固定金具と複数必要であり、材料費、及び管理費等の増大を招くとともに、施工手順が多くなる等の問題点があった。
さらに、特許文献１に記載の従来技術では、凹部前壁と凹部側壁および、凹部側壁と背面壁をビスで固定して組み立てる方法を採用しており、位置決めや下穴加工等で施工手順は増大し、引出箱自体の剛性にばらつきが発生するとともに、引出箱を引き出した際、組立ビスの頭部が見える為外観を損ねる等の問題点があった。
【０００７】
本発明は、前記の従来の問題点を鑑みなされたものであって、引出箱の切欠き部に装着するカバーの装着性と外観を向上させると共に、引出箱の剛性を保持することができ、配管との干渉を回避するための切欠き部を設けた引出箱と引出箱を備えたキャビネットを提供することにある。
【課題を解決するための手段】
【０００８】
本発明は、前記課題を解決する手段として、以下の構成を有する。
（１）本発明は、前面扉と、左右一対の側板と、背板切欠き部を有する背板と、前記背板切欠き部に連続する底板切欠き部を有する底板と、前記背板切欠き部の側縁部および前記底板切欠き部の側縁部に当接するカバー側壁と前記底板切欠き部の前縁部に当接するカバー前壁を備えて前記背板切欠き部と前記底板切欠き部を前記前面扉側から掩蔽する配管カバーとを有する引出箱であり、前記カバー側壁の前記切欠き部側と前記カバー前壁の前記切欠き部側に、それぞれ前記切欠き部の木口に被着する脚部を形成し、これら脚部の基端側に前記切欠き部端縁より外側に拡張する受け部を設け、前記カバー側壁において前記背板側に設けられた前記脚部の背部より、前記背板の背面側に延出されて前記カバー側壁の背面側に設けられた受け部とともに前記背板を挟み込む鍔背板を形成し、前記鍔背板にビス止め用の下孔を１以上形成したことを特徴とする。
【０００９】
（２）本発明において、前記カバー側壁の前記背板切欠き部側に前記背板切欠き部の木口に被着する背面側脚部を形成し、前記カバー側壁の前記底板切欠き部側に前記底板切欠き部の木口に被着する側面側脚部を形成し、前記カバー前壁の前記底板切欠き部前縁側に前記底板切欠き部前縁側の木口に被着する前面側脚部を形成するとともに、前記背面側脚部の基端側に前記背板切欠き部端縁部より外側に拡張する背面側受け部を設け、前記側面側脚部の基端側に前記底板切欠き部側端縁より外側に拡張する側面側受け部を設け、前記前面側脚部の基端側に前記底板切欠き部前縁より前方に拡張する前面側受け部を設けた構成を採用できる。
【００１０】
（３）本発明において、前記カバー前壁の底部側に設けられた前記前面側脚部の下端より、前記底板の裏面側に延出されて前記カバー前壁の底部側に設けられた受け部とともに前記底板を挟み込む鍔底板を形成し、前記鍔底板にビス止め用の下孔を１以上形成した構成を採用できる。
【００１１】
（４）本発明において、前記カバー側壁において前記背板に接する部分の上端部に前記背板の上面に被さる鍔上片を形成した構成を採用できる。
（５）本発明において、前記カバー前壁の上端より、前記背板側に延在する補強部を形成した構成を採用できる。
（６）本発明のキャビネットは、（１）乃至（６）のいずれかに記載の引出箱を備えたことを特徴とする。
【発明の効果】
【００１２】
本発明によれば、引出箱の切欠き部の端部を覆うカバー側壁とカバー前壁からなる配管カバーを備えたことにより、切欠き部の木口を前面壁側から露出させることなく簡便に隠すことが可能であり、外観と施工性の向上効果を得ることができるとともに、カバー側壁とカバー前壁からなる配管カバーを一体形成するならば、部品数削減と施工性向上及び引出箱の剛性保持効果を図ることができる。
【００１３】
カバー前壁の底部側の脚部の下端より、カバー前壁下方の受け部とともに底板を挟みこむように鍔底板を延設し、鍔底板にビス止め用の下孔を設けたことにより、下孔を介し鍔底板を引出箱の底板にその外底面側からビス止めすることができ、配管カバーの上方への離脱及びガタツキ防止を図り、配管カバーを安定支持することができる。また、鍔底板をビス止めした場合のビスの頭部を底板の底面側に配置でき、ビスの頭部を引出箱の前方側や上方側からは視認できない位置に配置できるため、引出箱の外観や美観を損なうことがない。
【００１４】
背板の背面側に延出させたカバー側壁背面側の受け部とともに背板を挟み込む鍔背板を設け、鍔背板にビス止め用の下孔を設けたことにより、下孔を介し鍔背板を引出箱の背板にその背面側からビス止めすることができ、配管カバー背部側の離脱やガタツキ防止を図り、配管カバーを安定支持することができる。また、鍔背板をビス止めした場合のビスの頭部を背板の背面側に設置でき、引出箱の前方側や上方側からは視認できない位置に配置できるため、引出箱の外観や美観を損なうことがない。
【００１５】
配管カバーに対し、鍔背板の上端より背板切欠き部側縁の上面側を覆うように鍔上片を形成したことにより、背板の背板切欠き部の側縁上面側を鍔上片で隠すことができ、引出箱と配管カバーの外観の向上を図ることができる。
【００１６】
カバー前壁の上端より、背板側に延設させた補強部を形成していることにより、配管カバー全体の剛性を高くすることができ、切欠部を設けたことによる引出箱の剛性低下防止を配管カバーで抑制することができる。
【００１７】
前述の種々の効果を奏する引出箱を備えたキャビネットであるならば、キャビネットの設置位置に配管や排水孔が設置されていて、配管と引出箱が干渉する位置にキャビネットが設置される場合であっても、引出箱に設けた背面切欠き部と底面切欠き部を利用して配管との干渉を避けつつキャビネットを設置できるようになり、キャビネットの設置位置の自由度が向上する。このため、建物のリフォームなどのように、既設配管や排水孔の位置が固定されて移動できない場合であっても、底板の適切な位置に背面切欠き部と底面切欠き部を設けた引出箱を利用し、キャビネットの設置ができるようになる効果がある。
【図面の簡単な説明】
【００１８】
【図１】本発明の一実施形態に係る引出箱を備えたキッチンキャビネットを備えたキッチンの全体構成を示す斜視図である。
【図２】本発明の一実施形態に係る引出箱を示す斜視図である。
【図３】本発明のに係る引出箱を示す斜視図であり、（Ａ）は切欠き部形成加工前の斜視図、（Ｂ）は切欠き加工後の斜視図である。
【図４】本発明における引出箱の切欠き部を示す拡大斜視図である。
【図５】本発明における一実施形態の配管カバーを示すもので、（Ａ）は表面側から示した斜視図、（Ｂ）は裏面側から示した斜視図である。
【発明を実施するための形態】
【００１９】
以下、本発明の一実施形態に係る引出箱並びに該引出箱を備えたキッチンキャビネットについて図１〜図５を参照して説明する。
本発明に係るキッチンキャビネットを備えたキッチン１の全体構成を図１に示す。この図１に示したとおり、キッチン１は単一または複数のキャビネット２から構成され、これらのキャビネット２には、引出箱３を備えたキャビネットも含まれている。この例の引出箱３はシンクＳを備えたキャビネット２の底部側に引出自在に取り付けられている。
【００２０】
この引出箱３は、図２に示すように、前面扉４と、左右一対の側板５と、配管を避けるための切欠き部６を備えた背板７および底板８とから構成されている。
【００２１】
また、切欠き部６は、引出箱３の背板７において、左右方向の一部が切り取られた背板切欠き部９と、引出箱３の底板８において、後方の左右方向の一部から前方へコの字形状に切り取られた底板切欠き部１０とから構成され、図４に拡大して示す通り背板７及び底板８に切欠き部木口１１を有している。本実施形態においては、背板７の幅方向略中央に背板切欠き部９が形成され、底板８の幅方向略中央に底板切欠き部１０が形成され、背板切欠き部９と底板切欠き部１０は同一幅に形成され、底板８の後端部において連続されている。また、本実施形態において、底板切欠き部１０の奥行き方向の長さは、図２に示すように底板８の奥行き方向の長さの半分を多少超える長さに設定されている。底板切欠き部１０の奥行き方向の長さと横幅はキッチンキャビネット２のシンクＳに対し設置されている図示略の配管と干渉しないように必要な長さと幅に形成されている。
【００２２】
なお、本実施例において、図３（Ｂ）に示す通り、切欠き部６を引出箱３の左右略中央奥側に設けているが、施工現場での配管位置によっては、それ以外の部分に設ける場合もあって良い。例えば、引出箱３の右端側よりの奥側位置、あるいは左端側よりの奥側位置などに切欠き部６を設けても良い。
【００２３】
切欠き部６に設置される配管カバー１２については、図５に示す構造とされている。
配管カバー１２は、カバー前壁１３と、左右一対のカバー側壁１４が平面視コ字型になるように一体形成されている。例えば一例として、カバー前壁１３とカバー側壁１４、１４を含めて配管カバー１２の全体を板金の折り曲げ加工による一体構造とすることができる。
配管カバー１２は、引出箱３の切欠き部６に対し、切欠き部木口１１を覆う脚部１５と、前記切欠き部木口１１より外側に拡張する受け部１６を有しており、前記受け部１６より前記背板７の上端部と略同じ高さに延設された左右一対のカバー側壁１４を有している。以下、カバー前壁１３の下端に形成されている脚部１５を前面側脚部１５ａと呼称し、カバー側壁１４の下端に形成されている脚部１５を側面側脚部１５ｂと呼称し、カバー側壁１４の背面側に形成されている脚部１５を背面側脚部１５ｃと呼称し、必要に応じそれらを区別して説明する。
【００２４】
カバー前壁１３の下端に形成されている前面側脚部１５ａは、カバー前壁１３の下端にカバー前壁１３に対し直角向きに背板側に延設された帯板状の前面側受け部１６ａを介しカバー前壁１３と平行に延設された帯板状に形成されている。前面側脚部１５ａの高さは一例として底板８の厚さと同等程度に形成されている。
カバー側壁１４の下端に形成されている側面側脚部１５ｂは、カバー側壁１４の下端にカバー側壁１４に対し直角向きに延設された帯板状の側面側受け部１６ｂを介しカバー側壁１４と平行に延設された帯板状に形成されている。側面側脚部１５ｂの高さは一例として引出箱３の底板８の厚さと同等程度に形成されている。
【００２５】
本実施形態において、背板７の高さとカバー側壁１４の高さが図２に示すように略同一とされ、底板切欠き部１０の奥行き方向の長さとカバー側壁１４の奥行き方向の長さが略同一とされ、カバー前壁１３の横幅と底板切欠き部１０の横幅が略同一とされている。このため、図２に示すように底板切欠き部１０における前面扉４側の前縁部に沿ってカバー前壁１３を配置し、底板切欠き部１０における側板５側の側縁部に沿ってカバー側壁１４、１４を配置することにより、カバー側壁１４の後端側を背板切欠き部９の左右両側の縁部に当接させることができる。また、この状態でカバー前壁１３の下方の前面側脚部１５ａを底板切欠き部１０の前面扉５側の内縁部分に嵌め込むとともに、カバー側壁１４の下方の側面側脚部１５ｂを底板切欠き部１０の側板５側の内縁部分に嵌め込むことができる。
【００２６】
前記カバー前壁１３の下方の前面側脚部１５ａの先端側に該前面側脚部１５ａと直角向きに前面側脚部１５ａの幅の一部または全幅を延出させた帯板状の鍔底板１７が形成され、該鍔底板１７の一部にビス止め用の鍔底下孔１８が１つ以上形成されている。
鍔底板１７はカバー前壁１３と直角向き設けられ、前面側脚部１５ａの長さが底板８の板厚と同程度とされているので、前面側脚部１５ａと側面側脚部１５ｂ、１５ｂを底板切欠き部１０の内縁部分に図２に示すように嵌め込んだ際、鍔底板１７は前面側受け部１６ａとともに底板８の切欠き部木口１１を挟み込むことができるようになっている。
【００２７】
前記カバー側壁１４、１４のそれぞれの後端側に各カバー側壁１４に対し内側に直角向きにカバー側壁１４の高さの一部または全部を延出させた帯板状の背面側受け部１６ｃが形成され、該背面側受け部１６ｃの先端側にカバー側壁１４に対し平行な向きに帯板状の背面側脚部１５ｃが形成されている。また、各背面側脚部１５ｃの先端側に各背面側脚部１５ｃと直角向きにカバー側壁１４の外側に延在する帯板状の鍔背板１９が形成されている。この構造において背面側脚部１５ｃの長さが背板７の厚さと同程度とされているので、前面側脚部１５ａと側面側脚部１５ｂ、１５ｂを底板切欠き部１０の内縁部に図２に示すように嵌め込んだ際、鍔背板１９は背面側脚部１５ｃと背面側受け部１６ｃとともに背板７側の切欠き部木口１１を挟み込むことができる。
【００２８】
前記鍔背板１９にビス止め用の鍔背下孔２０が１つ以上形成されている。そして、カバー側壁１４において背面側脚部１５ｃ側の上端部において、前記背板７側に鍔上片２１を延設させたことにより、図２に示すように前面側脚部１５ａと側面側脚部１５ｂ、１５ｂを底板切欠き部１０の内縁部に嵌め込んだ際、鍔背板１９は背面側受け部１６ｃとともに背板７側の切欠き部木口１１を挟み込むことができるようになっている。
【００２９】
さらには、カバー前壁１３の上端部において、前記背板７側に補強部２２が延設されている。この補強部２２を延設させたことにより、配管カバー１２の剛性を高くすることができ、引出箱３の剛性低下を防止している。
【００３０】
本実施形態において、配管カバー１２を構成する板材を例示すると、鉄板、ステンレス鋼板、アルミニウム板等の金属製板状体が適しているが、樹脂等の成形部品から配管カバー１２を構成する事も出来る。
なお、配管カバー１２の構成材として鉄板を用いる場合は、表面の外観と錆防止の観点から塗装等を行うのが望ましく、成形方法については、板金加工、溶接加工等、適宜利用して成形することができる。
【００３１】
以上説明のように本実施形態の引出箱３によれば、底板切欠き部１０の前縁側の切欠き部木口１１を前面側脚部１５ａと前面側受け部１６ａにより覆い、底板切欠き部１０の左右両側の切欠き部木口１１を側面側脚部１５ｂと側面側受け部１６ｂにより覆い、背板切欠き部９の左右両側の切欠き部木口１１を背面側脚部１５ｃと背面側受け部１６ｃにより覆うことができるので、切欠き部木口１１を前面扉４側から露出させることなく簡便に隠すことが可能であり、外観と施工性を向上させることができる。即ち、引出箱３をキャビネット２の手前側に引き出したとしても、キャビネット２の奥側に配置されている配管類を配管カバー１２で掩蔽することができる。更に、カバー側壁１４、１４の後端側上部に鍔上片２１を設け、背板切欠き部９の左右両側の切欠き部木口１１の上面側も覆い隠すことができるので、背板切欠き部９の切欠き部木口１１の上面側の外観も向上する。
【００３２】
配管カバー１２を金属板あるいは樹脂成形で一体形成し、且つ鍔上片２１、補強部２２を設けることにより、配管カバー１２の部品数削減と施工性向上及び、引出箱３の剛性保持を図ることができる。
【００３３】
さらには、カバー前壁１３の下端より底板８を挟み込むように延設させた鍔底板１７とビス止め用の鍔底板下孔１８を設け、底板８の裏面側（底面側）から鍔底板下孔１８を介し鍔底板１７を底板８にビス止めする構造を採用したことにより、配管カバー１２の上方への離脱及びガタツキ防止を図ることが可能となり、配管カバー１２の取付強度も向上できる。
また、カバー側壁１３、１３の後端部より背板７を挟み込むように延設させた鍔背板１９とビス止め用の鍔背下孔２０を設け、背板７の背面側（裏面側）から鍔背下孔２０を介し鍔背板１９を背板７にビス止めする構造を採用したことにより、配管カバー１２の後端側の上方への離脱及びガタツキ防止を図ることが可能となり、配管カバー１２の取付強度も向上できる。
【００３４】
図５に示す構成の配管カバー１２を引出箱３に取り付けるには、図３（Ａ）〜図３（Ｂ）に示すように引出箱３の底板奥側の必要位置に背板切欠き部９と底板切欠き部１０を形成し、これらの切欠き部９、１０に図５に示す配管カバー１２を装着する。
配管カバー１２をこれら切欠き部に装着するには、例えば、鍔底板１７を斜め下向きにして配管カバー１２を底板８の奥側から前面扉４側に前進させ、鍔底板１７を底板切欠き部１０の前縁下側に挿入するとともに鍔底板１７の基端側の前面側受け部１６ａを底板切欠き部１０の前縁側の木口に接近させる。この動作とともにカバー側壁１４の後端下部側を背板７側に下降させ、カバー側壁１４、１４の後端側を互いが接近するように湾曲させて接近させ、鍔背板１９、１９間の間隔を切欠き部９の横幅より小さくして背面側受け部１６ｃを背板７側の切欠き部小口１１と位置合わせしたならばカバー側壁１４、１４の湾曲を解除する。この操作により背面側受け部１６ｃを背板７側の切欠き部１１に嵌め込むことができ、図２に示すように引出箱３に配管カバー１２を装着することができる。
【００３５】
この状態において、底板８の裏面側から鍔底板１７の鍔底下孔１８を介し底板８にビスを打ち込むとともに、背板７の裏面側から鍔背板１９の鍔背下孔２０を介し背板７にビスを打ち込むことで配管カバー１２の取り付け作業を完了することができる。
この場合にビス止めに使用したビスの頭部は、底板８の裏面側と背板７の裏面側に位置し、引出箱３を利用する人の目に触れる位置にはないので、ビスの頭部の存在によって引出箱３の外観を損なうことはない。
【００３６】
前述の種々の効果を奏する引出箱３を備えたキャビネット２であるならば、キャビネット２の設置位置に配管や排水孔が設置されていて、配管と引出箱が干渉する可能性のある位置にキャビネット２を設置する場合であっても、引出箱３に設けた背面切欠き部９と底面切欠き部１０を利用して配管との干渉を避けつつキャビネット２を設置できるようになり、キャビネット２の設置位置の自由度が向上する。
また、建物のリフォームなどのように、既設配管や排水孔の位置が固定されて移動できない場所にキャビネット２を設置する場合であっても、底板８の適切な位置に背板切欠き部９と底板切欠き部１０を設けた引出箱３を利用し、キャビネット２の設置ができるようになる効果がある。このため、引出箱３の背板切欠き部９と底板切欠き部１０はリフォームの現場で背板７と底板８の適切な位置に形成することもでき、その場合にキャビネット２の設置自由度を大幅に向上できる効果がある。
【００３７】
以上説明のように、本実施形態に係る引出箱付きキャビネット２および、該キャビネット２を備えたキッチン１を実施するための形態を説明したが、本発明はこのような実施形態に限定されるものではなく、特許請求の範囲に記載された技術的事項の範囲内で種々の実施形態を採用できることは言うまでもない。
【産業上の利用可能性】
【００３８】
本発明に係る引出箱付きキャビネットおよび、引出箱、ひかいだしがた該キャビネットを備えたキッチンは、前記のような構成であることから、キッチンの他に、洗面化粧台等の設備にも適用が可能となる。
【符号の説明】
【００３９】
１…キッチン、２…キャビネット、３…引出箱、４…前面扉、５…側板、６…切欠き部、７…背板、８…底板、９…背板切欠き部、１０…底板切欠き部、１１…切欠き部木口、１２…配管カバー、１３…カバー前壁、１４…カバー側壁、１５…脚部、１５ａ…前面側脚部、１５ｂ…側面側脚部、１５ｃ…背面側脚部、１６…受け部、１６ａ…前面側受け部、１６ｂ…側面側受け部、１６ｃ…背面側受け部、１７…鍔底板、１８…鍔底下孔、１９…鍔背板、２０…鍔背下孔、２１…鍔上片、２２…補強部。
【図１】
0006681671.tif 000002
【図２】
0006681671.tif 000003
【図３】
0006681671.tif 000004
【図４】
0006681671.tif 000005
【図５】
0006681671.tif 000006